(57)【要約】【課題】「ポケットティッシュ」の▲１▼整理整頓、▲２▼型崩れの防止、▲３▼汚損防止、▲４▼衛生的な保管、▲５▼最後まで使用することが出来ることを目的とする格納箱を提供する。【解決手段】「ポケットティッシュ」は裏面にバネ止め（８）の付いた中台（７）と、本体（５）の上部にある押さえ（４）の間に挟まれる。中台は１個または異なる２個のバネ（９）、（１０）によって支えられる。これらと開口部のある中蓋（２）と止めツメ（１３）の付いた底蓋（１２）により構成する格納箱である。この格納箱に外蓋（１）と開口部の蓋（３）はいずれか１つの蓋を、または両方の蓋を用いるか、若しくは両方の蓋を用いないかは任意である。  しかし、本発明の趣旨から両方の蓋を用いるか、又は、どちらか一方の蓋は用いることが望ましい。これにより「ポケットティッシュ」が衛生的に格納されることを特徴とする。【選択図】図４
2006150024.tif 000002
【特許請求の範囲】
【請求項１】
使用前、使用中の「ポケットティッシュ」の▲１▼整理整頓、▲２▼型崩れの防止、▲３▼汚損の防止、▲４▼衛生的な保管、▲５▼最後の１枚まで使用が可能となり、無駄な廃棄を防止するために、バネ（９）、（１０）で支えられた中台（７）と、押さえ（４）の付いた本体（５）で構成する「ポケットティッシュ」の格納箱である。
【請求項２】
▲１▼格納箱の中に組み込まれるバネ（９）、（１０）は、▲１▼本体（５）の高さに応じ、１個または異なる２個のバネを用いてバネの高さを調整しても良いが、バネ（９）と（１０）を組んだものを基本的な大きさのバネとし、この基本的な大きさのバネを複数個組み合わせて本体（５）の高さに調整しても良い。（図５）▲２▼この基本的な大きさのバネを複数個組み合わせたときに、互いにバネの位置が移動しないようにバネ（９）、（１０）の組み合わせ部にはバネのズレ止め（１１）がついている。このバネのズレ止め（１１）の位置と形状はバネの形状や大きさに応じて変わる。▲３▼異なる２個のバネを用いるとき、バネが外れにくいように、バネ（９）の接合部には凹部が、バネ（１０）の接合部には凸部がある。▲４▼中台（７）の裏面には中台（７）と本体（５）の隙間にバネ（９）、（１０）が入らないようにバネ止め（８）が付いている。
【発明の詳細な説明】
【技術分野】
【０００１】  本発明は「ポケットティッシュ」の▲１▼整理整頓、▲２▼型崩れの防止、▲３▼汚損の防止、▲４▼衛生的な保管、▲５▼無駄な廃棄を防ぐための、「ポケットティッシュ」の格納箱である。
【背景技術】
【０００２】  従来はジッパー付が付いた布製、毛糸の編み物製、和紙製等のソフトタイプのティッシュケースといわれるものがあり、その多くは一個入れであった。そのため、ケースの中に「ポケットティッシュ」を入れ、衣服のポケット、カバンの中等に放置していると「ポケットティッシュ」の型が変形することがある。【０００３】  また、複数個入れの「ティッシュボックス」、「ティッシュホルダー」、「ティッシュカバー」といわれるものには、陶製、布製、金属製、プラスティック製、植物性の編み物製の物などがある。【０００４】  しかしながら、これらの物には蓋が付いていない物が多く、そのために、衛生的に保管することは難しく、中に入れて放置している間に埃等の汚れが付く。【０００５】  また使用するときは、「ポケットティッシュ」の包装方式から１枚取り出しても次のティッシュが自動的に取れる構造にはなっていない。ためため、使用するときは容器より「ポケットティッシュ」を１個取り出して１枚ずつ使用し、使用後は又元に戻す方式となる。
【発明が解決しようとする課題】
【０００６】  今までは使用前、使用中の「ポケットティッシュ」は、そのままの形で、衣服のポケット、鞄、引き出しの中、箱の中などに放置されることが多かった。そのため、放置されている間に「ポケットティッシュ」は型崩れ、包装紙の破れなどほこりの付着やで中身が出てしまうなど、衛生的にも問題があり、汚損により最後まで使用されずに廃棄されることもあって、資源の有効利用の上からも問題があった。本発明はこのような課題を解消しようとするためものである。
【発明の開示】
【課題を解決するための手段】
【０００７】  本発明は上記の目的を達成するために、バネで支えられた中台（７）と、押さえ（４）の付いた本体（５）で構成する「ポケットティッシュ」の格納箱である。このとき、中台（７）の裏面には中台（７）と本体（５）の隙間にバネ（９）、（１０）が入らないようにバネ止め（８）が付いている。  バネの接合部には凹部のあるバネ（９）と、凸部のあるバネ（１０）があり、いずれか１個又は異なる２個のバネを用いる。本体（５）の高さが高いときはバネ（９）、（１０）を組み合わせたバネを基本的な大きさのバネとして、この基本的な大きさのバネを複数個組み合わせてもよい。（図５）  このとき、互いにバネの位置が移動しないように組み合わせ部にはバネのズレ止め（１１）が付いている。このバネのズレ止め（１１）の形状と位置はバネの形状や大きさに応じて変わる。
【用語の定義】
【０００８】バネ  この発明で言う「バネ」とは「物体の弾性または変形によって蓄積されるエネルギーを利用することを主目的とする機械要素」であり、弾性とは「物体に外力を加えるとき、外力の強さに比例して変形を生じ外力を除去すると元の状態に復帰する性質を有するもの」である。                                                ＪＩＳ工業用語大辞典第５版より  この発明で言う「バネ」とは上記の性質を有するものであれば、その材質、形状、大きさは問わない。この発明では例としてバネを一個使用したものとバネを二個組み合わせたものを表示した。開口部  この発明で言う「開口部」（１４）と「開口部の蓋」（３）の形状はポケットティッシュの格納、開封、保管のために効果を現すものであれば、形態と大きさは問わない。この発明では例として楕円形をした「開口部」（１４）と「開口部ある中蓋」（２）を表示した。
【発明の実施するための最良の形態】
【０００９】  本体（５）の上部の四隅に押さえ（４）がある。押さえ（４）の位置と大きさは「ポケットティッシュ」を入れやすく、また、入れた「ポケットティッシュ」がはずれ出ない程度の大きさである。
【００１０】  中台（７）は本体（５）の中を容易に動き、バネ（９）、（１０）を１個又は異なる２個のバネを用いることにより支えられる。
【００１１】  中台（７）の裏面にはバネ（９）、（１０）の形状と大きさに応じたバネ止め（８）が付いている。（図１２）
【００１２】  本体（５）の下部には底蓋（１２）の止めツメ（１３）を組み込むための構造になっている。
【００１３】  底蓋（１２）は、中台（７）、バネ（９）、（１０）を１個又は異なる２個のバネを本体（５）の中に入れてから本体（５）と組み込まれる。
【００１４】  底蓋（１２）の止めツメ（１３）は本体（５）と組み込むための構造になっている。
【００１５】  開口部のある中蓋（２）には「ポケットティッシュ」の封を切り、また、１枚ずつ取り出すことのできる開口部（１４）がある。
【００１６】  開口部のある中蓋（２）は必ず用いられる。「ポケットティッシュ」の包装は、封を切って中のティッシュを１枚取り出しても次のティッシュが続いて出ることのないようにたたまれ、又、積まれている。
【００１７】  上記の理由とコスト削減から、外蓋（１）と開口部の蓋（３）は、▲１▼両方の蓋を用いる、▲２▼いずれか一方の蓋を用いる、▲３▼両方の蓋も用いないかは任意である。しかし、本発明の趣旨から両方又はどちらか一方を用いることが望ましい。
【発明の効果】
【００１８】▲１▼使用前、使用中の「ポケットティッシュ」の格納箱は、「ポケットティッシュ」を保護して使用するため、▲１▼整理整頓、▲２▼型崩れの防止、▲３▼汚損の防止、▲４▼衛生的な保管、▲５▼最後の一枚まで使用が可能となり中途廃棄を防止することができる。これにより、環境汚染の防止、資源の有効利用などの効果がある。▲２▼現在、「ポケットティッシュ」の大きさには、台紙サイズが１０３ｍｍ×７３ｍｍのレギュラータイプ、台紙サイズが１０３ｍｍ×９８ｍｍのスクェアータイプ、台紙サイズが８３ｍｍ×５３ｍｍのミニタイプの３種類あるが、この発明はいずれの大きさの「ポケットティッシュ」にも応用できる。  ここで言う台紙とは、「ポケットティッシュ」の中に入っている、宣伝、広告を目的として印刷された紙片のことである。一部、紙片に印刷がされていないものや、台紙が入っていないものもあるが、大きさは上記のものに準じている。▲３▼また、「ポケットティッシュ」は入り枚数が「６Ｗ」、「８Ｗ」、「１０Ｗ」で厚さが異なるが、本体（５）の高さに応じて入れる数を調整することでいずれの厚さの「ポケットティッシュ」にも応用できる。
【図面の簡単な説明】
【００１９】
【図１】本発明の「ポケットティッシュ」の格納箱の全体斜視図である。
【図２】本発明の〔図１〕をＡ−Ａ’で切断した断面斜視図である。
【図３】本発明の「ポケットティッシュ」の格納箱の全体斜視図である。
【図４】本発明の〔図２〕をＢ−Ｂ’で切断した断面斜視図である。
【図５】本発明のバネ（９）、（１０）を組み合わせて基本的な大きさのバネとし、これを複数個組み合わせたバネの斜視図である。
【図６】本発明の外蓋の斜視図である
【図７】本発明の開口部のある中蓋と開口部の蓋の斜視図である
【図８】本発明の上部に押さえと下部に底蓋止めの付いた本体の斜視図である。
【図９】本発明の裏面の両端にバネ止めの付いた中台の斜視図である
【図１０】本発明のバネのズレ止めが付き、接合部に凹部のあるバネの斜視図である。
【図１１】本発明のバネのズレ止めがつき、接合部に凹部の付いたバネの斜視図である
【図１２】本発明の止めツメの付いた底蓋と止めツメの拡大図の斜視図である。
【符号の説明】
【００２０】１            外蓋２            開口部のある中蓋３            開口部の蓋４            押さえ５            本体６            底蓋止め７            中台８            バネ止め９            バネのズレ止めが付き、接合部に凹部のあるバネ１０          バネのズレ止めが付き、接合部に凸部のあるバネ１１          バネのズレ止め１２          底蓋１３          止めツメ１４          開口部
【図１】
2006150024.tif 000003
【図２】
2006150024.tif 000004
【図３】
2006150024.tif 000005
【図４】
2006150024.tif 000006
【図５】
2006150024.tif 000007
【図６】
2006150024.tif 000008
【図７】
2006150024.tif 000009
【図８】
2006150024.tif 000010
【図９】
2006150024.tif 000011
【図１０】
2006150024.tif 000012
【図１１】
2006150024.tif 000013
【図１２】
2006150024.tif 000014
【手続補正書】
【提出日】平成17年3月30日(2005.3.30)
【手続補正１】
【補正対象書類名】明細書
【補正対象項目名】０００９
【補正方法】変更
【補正の内容】
【０００９】本体（５）の上部に押さえ（４）がある。押さえ（４）の位置と大きさは「ポケットティッシュ」を入れやすく、また、入れた「ポケットティッシュ」がはずれ出ない程度の位置と大きさである。